(57)【要約】【課題】倒立像を結像し、俯視角度が調整可能であり、接眼レンズによる観察と撮像装置による撮像とを可能とする顕微鏡用傾角鏡筒、および該鏡筒を備えた顕微鏡を提供する。【解決手段】顕微鏡本体に設置されて対物レンズからの光が導かれる固定鏡筒部２と、固定鏡筒部２に対して揺動可能に設けられており、接眼レンズが取り付けられる接眼鏡筒部３とからなり、対物レンズからの光を接眼レンズの像面ＩＥＰに倒立像として結ぶ顕微鏡用傾角鏡筒１であって、固定鏡筒部２に対して着脱可能に設けられており、撮像装置が取り付けられる撮像鏡筒部４と、固定鏡筒部２内に配設されており、対物レンズからの光を分割して接眼鏡筒部３および撮像鏡筒部４へ導くための光路分割部材６とを有し、対物レンズからの光を撮像装置の像面ＩＴＶにも倒立像として結ぶことを特徴とする。【選択図】図１
2004212613.tif 000002
【特許請求の範囲】
【請求項１】
顕微鏡本体に設置されて対物レンズからの光が導かれる固定鏡筒部と、
前記固定鏡筒部に対して揺動可能に設けられており、接眼レンズが取り付けられる接眼鏡筒部とからなり、
前記対物レンズからの光を前記接眼レンズの像面に倒立像として結ぶ顕微鏡用傾角鏡筒であって、
前記固定鏡筒部に対して着脱可能に設けられており、撮像装置が取り付けられる撮像鏡筒部と、
前記固定鏡筒部内に配設されており、前記対物レンズからの光を分割して前記接眼鏡筒部および前記撮像鏡筒部へ導くための光路分割部材とを有し、
前記対物レンズからの光を前記撮像装置の像面にも倒立像として結ぶことを特徴とする顕微鏡用傾角鏡筒。
【請求項２】
請求項１に記載の顕微鏡用傾角鏡筒において、
前記接眼鏡筒部は、前記固定鏡筒部に対して揺動可能かつ前記接眼鏡筒部の光軸方向へ伸縮可能に設けられていることを特徴とする顕微鏡用傾角鏡筒。
【請求項３】
請求項１または請求項２に記載の顕微鏡用傾角鏡筒において、
前記光路分割部材は、前記対物レンズからの光を透過光と反射光とに分割して前記透過光を前記接眼鏡筒部へ導き前記反射光を前記撮像鏡筒部へ導く半透過部と、前記対物レンズからの光を全て透過させて透過光とし当該透過光を前記接眼鏡筒部へ導く全透過部とを備えており、前記半透過部と前記全透過部とを切り換えて光路内へ配置するべく前記固定鏡筒部内に移動可能に配設されていることを特徴とする顕微鏡用傾角鏡筒。
【請求項４】
請求項１ないし請求項３のいずれか１項に記載の顕微鏡用傾角鏡筒と、
当該顕微鏡用傾角鏡筒の前記接眼鏡筒部に取り付けられた前記接眼レンズと、
標本からの光を前記顕微鏡用傾角鏡筒の前記固定鏡筒部へ導く前記対物レンズとを備えたことを特徴とする顕微鏡。
【発明の詳細な説明】
【０００１】
【発明の属する技術分野】
本発明は、顕微鏡用傾角鏡筒、および該鏡筒を備えた顕微鏡に関する。
【０００２】
【従来の技術】
従来、顕微鏡観察においてエルゴノミーの観点から、アイポイント位置（接眼レンズの射出瞳位置）を観察者個々に最適な位置に配置してできる限り楽な姿勢で観察を行うべく、接眼レンズをのぞき込む方向（俯視角度）などを可変とする鏡筒が種々提案されている（例えば、特許文献１参照。）。
斯かる鏡筒のうち、主に工業分野などで用いられる顕微鏡では、標本からの光を正立像として接眼レンズへ導く鏡筒が求められている。この正立系の鏡筒は、一般に中間像を一度形成し、再結像リレーレンズ系によって標本像を形成するものであるため、鏡筒全体の光路長が長く設計の自由度が高く、撮像装置を取り付けるためのポートを設けることが容易であった。
一方、生物分野で用いられる顕微鏡では、従来の顕微鏡と同様、標本からの光を倒立像として接眼レンズへ導く鏡筒が求められている。
【０００３】
【特許文献１】
特開平１０−１４２４７３号公報
【０００４】
【発明が解決しようとする課題】
しかしながら上述の倒立系の鏡筒は、一次像を標本像とするため、光路長の制限が厳しく設計の自由度が大幅に制限されてしまい、撮像装置を取り付けるためのポートを設けることが困難であるという問題がある。
【０００５】
そこで本発明は上記問題点に鑑みてなされたものであり、倒立像を結像し、俯視角度が調整可能であり、接眼レンズによる観察と撮像装置による撮像とを可能とする顕微鏡用傾角鏡筒、および該鏡筒を備えた顕微鏡を提供することを目的とする。
【０００６】
【課題を解決するための手段】
上記課題を解決するために請求項１に記載の発明は、
顕微鏡本体に設置されて対物レンズからの光が導かれる固定鏡筒部と、
前記固定鏡筒部に対して揺動可能に設けられており、接眼レンズが取り付けられる接眼鏡筒部とからなり、
前記対物レンズからの光を前記接眼レンズの像面に倒立像として結ぶ顕微鏡用傾角鏡筒であって、
前記固定鏡筒部に対して着脱可能に設けられており、撮像装置が取り付けられる撮像鏡筒部と、
前記固定鏡筒部内に配設されており、前記対物レンズからの光を分割して前記接眼鏡筒部および前記撮像鏡筒部へ導くための光路分割部材とを有し、
前記対物レンズからの光を前記撮像装置の像面にも倒立像として結ぶことを特徴とする顕微鏡用傾角鏡筒を提供する。
【０００７】
また、請求項２に記載の顕微鏡用傾角鏡筒は、
請求項１に記載の顕微鏡用傾角鏡筒において、
前記接眼鏡筒部は、前記固定鏡筒部に対して揺動可能かつ前記接眼鏡筒部の光軸方向へ伸縮可能に設けられていることを特徴とする。
【０００８】
また、請求項３に記載の顕微鏡用傾角鏡筒は、
請求項１または請求項２に記載の顕微鏡用傾角鏡筒において、
前記光路分割部材は、前記対物レンズからの光を透過光と反射光とに分割して前記透過光を前記接眼鏡筒部へ導き前記反射光を前記撮像鏡筒部へ導く半透過部と、前記対物レンズからの光を全て透過させて透過光とし当該透過光を前記接眼鏡筒部へ導く全透過部とを備えており、前記半透過部と前記全透過部とを切り換えて光路内へ配置するべく前記固定鏡筒部内に移動可能に配設されていることを特徴とする。
【０００９】
また、請求項４に記載の顕微鏡は、
請求項１ないし請求項３のいずれか１項に記載の顕微鏡用傾角鏡筒と、
当該顕微鏡用傾角鏡筒の前記接眼鏡筒部に取り付けられた前記接眼レンズと、
標本からの光を前記顕微鏡用傾角鏡筒の前記固定鏡筒部へ導く前記対物レンズとを備えたことを特徴とする。
【００１０】
【発明の実施の形態】
以下、本発明の実施の形態について、添付図面に基づいて詳細に説明する。
（第１実施形態）
本発明の第１実施形態に係る顕微鏡用傾角鏡筒を図１を参照して説明する。図１（ａ），（ｂ）はそれぞれ、本発明の第１実施形態に係る顕微鏡用傾角鏡筒の構成を示す図，後述の光路分割部材の貼り合わせ面を示す図である。
【００１１】
本実施形態に係る顕微鏡用傾角鏡筒１は、顕微鏡において双眼観察と撮像装置を用いた撮像とを行うための三眼鏡筒であって、図１（ａ）に示すように顕微鏡本体に固定される固定鏡筒部２と、接眼レンズが取り付けられる双眼鏡筒部３と、撮像装置が取り付けられる撮像鏡筒部４とからなる。
【００１２】
固定鏡筒部２は、不図示の顕微鏡本体の対物レンズ側から順に、第１レンズ群５と、光路分割部材６と、該光路分割部材６の透過光路上に配置された第２レンズ群９と反射ミラー１０と、光路分割部材６の反射光路上に配置された第４レンズ群１１とを備えている。
第１レンズ群５と第２レンズ群９とは、光路分割部材６を挟んで望遠鏡系をなしている。
第２レンズ群９および第４レンズ群１１は、それぞれ光路分割部材６からの光束を平行光束にするレンズ群である。
反射ミラー１０は、揺動軸Ｏを中心として揺動可能に固定鏡筒部２内に配置されており、第２レンズ群９からの光束の反射方向を変化させるものである。
【００１３】
光路分割部材６は、図１紙面垂直方向（ｘ方向）へ延びる大きさの異なる２つの三角柱プリズム７，８を貼り合わせて構成された五角柱プリズムである。２つの三角柱プリズム７，８の貼り合わせ面６Ｍには、入射光のうちの一部を透過させ、かつこれ以外の入射光を反射する半透過部６Ｍａと、全ての入射光を透過させる全透過部６Ｍｂとが図１（ｂ）に示すように形成されている。さらに光路分割部材６は、ｘ方向へスライド可能に設けられている。これにより、観察者は手動にて光路分割部材６をｘ方向へスライドさせることで、第１レンズ群５からの光束の光路内に半透過部６Ｍａと全透過部６Ｍｂとを任意に切り換えて配置することができる。
斯かる構成の下、第１レンズ群５から射出された光束の光路内に半透過部６Ｍａを配置した場合、該半透過部６Ｍａへ入射した光束のうち、半透過部６Ｍａを透過した光束は三角柱プリズム８中を進行して内面８Ｍに反射されて第２レンズ群９へ導かれ、半透過部６Ｍａにて反射された光束は第４レンズ群１１へ導かれる。また、第１レンズ群５からの光束の光路内に全透過部６Ｍｂを配置した場合、該全透過部６Ｍｂへ入射した全ての光束が三角柱プリズム８中を進行して第２レンズ群９へ導かれることとなる。
【００１４】
双眼鏡筒部３は、反射ミラー１０側から順に、第３レンズ群１２と、分割プリズム群１３とを備えている。この分割プリズム群１３の射出側には双眼観察を行うための左右の目に対応する左右一対の接眼レンズが取り付けられ、双眼鏡筒部３によって接眼レンズの像面ＩＥＰに結ばれた像は該接眼レンズによって拡大され標本像としてアイポイントＥに結ばれることとなる。
第３レンズ群１２は、接眼レンズの像面ＩＥＰに反射ミラー１０からの平行光束を結像するレンズ群であり、第２レンズ群９と反射ミラー１０、第３レンズ群１２は平行系をなしている。また分割プリズム群１３は、第３レンズ群１２からの光束を二分割して左右一対の接眼レンズへそれぞれ導く。
【００１５】
斯かる双眼鏡筒部３は、揺動軸Ｏを中心として揺動可能に固定鏡筒部２に連結されており、双眼鏡筒部３に取り付けられた接眼レンズを一体的に揺動させることができる。したがって、揺動軸Ｏを中心として双眼鏡筒部３を揺動させることで、接眼レンズをのぞき込む方向（俯視角度）を変化させることができる。本実施形態では、双眼鏡筒部３を図示のように角度αだけ揺動させたときに、これに連動して反射ミラー１０を同方向へ角度α／２だけ回転させる、不図示のいわゆる角度１：２機構が設けられている。
【００１６】
さらに双眼鏡筒部３は、該双眼鏡筒部３の光軸方向へ伸縮可能に設けられており、双眼鏡筒部３に取り付けられた接眼レンズを一体的に光軸方向へ移動させることができる。双眼鏡筒部３を光軸方向へ移動させることによって、反射ミラー１０から第３レンズ群１２までの距離ｄ１を変化させて、第３レンズ群１２の結像位置を光軸方向へ変化させることができる。したがって、双眼鏡筒部３に取り付けられた接眼レンズを一体的に光軸方向へ移動させることで、アイポイント位置Ｅを光軸方向へ変化させることができる。このとき、上述のように第２レンズ群９から反射ミラー１０、第３レンズ群１２は平行系をなしているため、距離ｄ１を変化させても第３レンズ群１２の結像性に影響を及ぼすことはなく、アイポイント位置Ｅで観察される標本像に変化が生じることがない。
【００１７】
撮像鏡筒部４は、第４レンズ群１１側から順に、第５レンズ群１４と、反射ミラー１５とを備えており、固定鏡筒部２に対して着脱可能に設けられている。この撮像鏡筒部４の反射ミラー１５の射出側には撮像を行うための撮像装置が取り付けられ、撮像鏡筒部４によって撮像装置の像面ＩＴＶに結ばれた像は該撮像装置によって標本像として撮像されることとなる。
第５レンズ群１４は、第４レンズ群１１からの平行光束を反射ミラー１５を介して撮像装置の像面ＩＴＶに結像するレンズ群であり、第４レンズ群１１から第５レンズ群１４は平行系をなしている。これにより、撮像鏡筒部４の固定鏡筒部２への着脱が容易となる。
【００１８】
次に、上記構成の本実施形態に係る顕微鏡用傾角鏡筒１の作用について説明する。
本実施形態に係る顕微鏡用傾角鏡筒１において、不図示の顕微鏡本体の無限遠補正系の対物レンズからの光束は、第１レンズ群５を経て光路分割部材６へ入射する。
光路分割部材６を透過した光束は、第２レンズ群９によって平行光束とされ、反射ミラー１０によって反射された後、第３レンズ群１２によって不図示の接眼レンズの像面ＩＥＰに結像される。したがって、接眼レンズによって標本の拡大像が結像されて双眼観察することができる。尚、対物レンズからの光束は光路分割部材６における内面８Ｍと反射ミラー１０とによって二回反射されるため、標本像は二度反転されることとなる。これにより、接眼レンズを介して観察される標本像は、一般的な顕微鏡の観察像と同様に倒立像となるため、違和感のない双眼観察を行うことができる。
【００１９】
一方、光路分割部材６によって反射された光束は、第４レンズ群１１によって平行光束とされ、第５レンズ群１４によって反射ミラー１５を介して不図示の撮像装置の像面ＩＴＶへ結像される。したがって、撮像装置よって標本像を撮像することができる。尚、対物レンズからの光束は光路分割部材６における半透過部６Ｍａと反射ミラー１５とによって二回反射されるため、標本像は二度反転されることとなる。これにより、撮像装置で撮像される標本像は、上述の双眼観察における標本像と同様に倒立像となる。
【００２０】
ここで、上述のように光路分割部材６は、ｘ方向へスライドさせることで、半透過部６Ｍａと全透過部６Ｍｂとを第１レンズ群５から射出された光束の光路内へ切り換えて配置することができる。
半透過部６Ｍａを光路内へ配置した場合、第１レンズ群５から射出された光束は半透過部６Ｍａによって透過光と反射光とに分割される。そして、透過光は双眼鏡筒部３へ導かれ、接眼レンズを介して双眼観察を行うことができる。また、反射光は撮像鏡筒部４へ導かれ、撮像装置によって撮像を行うことができる。
【００２１】
全透過部６Ｍｂを光路内へ配置した場合、第１レンズ群５から射出された光束は全て双眼鏡筒部３へ導かれ、接眼レンズを介して双眼観察のみを行うことができる。この場合、撮像鏡筒部４へ光束が導かれることがないため、双眼鏡筒部３はより明るい像を接眼レンズの像面ＩＥＰに結ぶことができる。また、光路分割部材６の貼り合わせ面６Ｍにさらに全反射部（不図示）６Ｍｃを設ければ、光束を全て撮像鏡筒部４へ導くこともできる。さらに、撮像鏡筒部４は固定鏡筒部２に対して容易に着脱可能であるため、撮像を行わない場合は撮像鏡筒部４および撮像装置を取り外しておき、必要に応じて取り付けて使用することができる。
【００２２】
以上、本実施形態に係る顕微鏡用傾角鏡筒１は、俯視角度およびアイポイントＥの光軸方向位置をそれぞれ調整可能である。したがって、これら両者の調整を組み合わせることでアイポイントＥの高さを調整することが可能となり、観察者はアイポイントＥを最適な位置に配置して楽な姿勢で観察を行うことができる。
また、本実施形態に係る顕微鏡用傾角鏡筒１は、光路分割部材６の半透過部６Ｍａと全透過部６Ｍｂとを切り換える構成とすることで、固定鏡筒部２と双眼鏡筒部３との光路長を延長することなく撮像鏡筒部４を設けることができる。これにより、接眼レンズによる双眼観察と撮像装置による撮像とを選択的に行うことができる。
またこのとき本実施形態に係る顕微鏡用傾角鏡筒１は、対物レンズからの光束を偶数回反射させて接眼レンズおよび撮像装置へ導くことで、それぞれにおいて倒立像を観察することができる。
【００２３】
（第２実施形態）
本発明の第２実施形態に係る顕微鏡用傾角鏡筒を図２，図３を参照して説明する。図２（ａ），（ｂ）はそれぞれ、本発明の第２実施形態に係る顕微鏡用傾角鏡筒の構成を示す図，光路分割部材の貼り合わせ面を示す図である。図３は、本実施形態において、後述のプリズム１２０，１２１，１２２の構成の説明のため、光路分割部材を透過した光束が経由する全ての部材を該光束の光軸上に真っ直ぐ配置した場合のｙ方向から見た断面を示す図である。
本実施形態に係る顕微鏡用傾角鏡筒１０１おいて、上記第１実施形態に係る顕微鏡用傾角鏡筒と同様の構成である部分には同じ符号を付して重複する説明を省略し、異なる部分について詳細に説明する。
【００２４】
固定鏡筒部１０２は、図２（ａ），図３に示すように、不図示の顕微鏡本体の対物レンズ側から順に、光路分割部材１０６と、該光路分割部材１０６の透過光路上に配置された第１レンズ群１０５と、プリズム１２０と、プリズム１２１と、第２レンズ群１０９と、プリズム１２２とを備えている。
第１レンズ群１０５と第２レンズ群１０９とは、プリズム１２０，１２１を挟んで望遠鏡系をなしている。
第２レンズ群１０９は、光路分割部材１０６からの光束を平行光束にするレンズ群である。
【００２５】
光路分割部材１０６は、ｘ方向へ延びる同じ大きさの２つの三角柱プリズム１０７，１０８を貼り合わせて構成された四角柱プリズムである。２つの三角柱プリズム１０７，１０８の貼り合わせ面１０６Ｍには、上記第１実施形態と同様に、半透過部１０６Ｍａと全透過部１０６Ｍｂとが図２（ｂ）に示すように形成されている。さらに光路分割部材１０６は、ｘ方向へスライド可能に設けられており、第１レンズ群１０５からの光束の光路内に半透過部１０６Ｍａと全透過部１０６Ｍｂとを任意に切り換えて配置することができる。また、光路分割部材１０６の貼り合わせ面１０６Ｍにさらに全反射部（不図示）１０６Ｍｃを設ければ、光束を全て撮像鏡筒部１０４へ導くこともできる。
【００２６】
プリズム１２１およびプリズム１２２は、それぞれ揺動軸Ｐおよび揺動軸Ｑを中心として揺動可能に固定鏡筒部に配置されている。これらのプリズム１２１，１２２は、プリズム１２１を揺動軸Ｐを中心として揺動させると、プリズム１２２は揺動軸Ｑを中心として所定の角度だけ揺動するように構成されている。以下に述べる双眼鏡筒部１０３は、プリズム１２２と一体的に揺動可能に固定鏡筒部１０２に連結されている。したがって、双眼鏡筒部１０３は、プリズム１２１の揺動に連動してプリズム１２２が揺動軸Ｑを中心として揺動する際に、プリズム１２２と一体的に揺動することとなる。
【００２７】
双眼鏡筒部１０３は、プリズム１２２側から順に、第３レンズ群１１２と、分割プリズム群１１３とを備えている。
第３レンズ群１１２は、接眼レンズの像面ＩＥＰにプリズム１２２からの平行光束を結像するレンズ群であり、第２レンズ群１０９からプリズム１２２、第３レンズ群１１２は平行系をなしている。また分割プリズム群１１３は、第３レンズ群１１２からの光束を二分割して左右一対の接眼レンズへそれぞれ導く。
斯かる双眼鏡筒部１０３は、上述のようにプリズム１２２と一体的に揺動可能に固定鏡筒部１０２に連結されている。これにより、双眼鏡筒部１０３に取り付けられた接眼レンズを一体的に揺動させて俯視角度を変化させることができる。
【００２８】
さらに双眼鏡筒部１０３は、上記第１実施形態と同様、双眼鏡筒部１０３の光軸方向へ伸縮可能に設けられており、双眼鏡筒部１０３に取り付けられた接眼レンズを一体的に光軸方向へ移動させることができる。双眼鏡筒部１０３を光軸方向へ移動させることによって、プリズム１２２から第３レンズ群１１２までの距離ｄ１を変化させて、第３レンズ群１１２の結像位置を光軸方向へ変化させることができる。したがって、双眼鏡筒部１０３に取り付けられた接眼レンズを一体的に光軸方向へ移動させることで、アイポイント位置Ｅを光軸方向へ変化させることができる。
【００２９】
撮像鏡筒部１０４は、光路分割部材１０６側から順に、第４レンズ群１１４と、反射ミラー１１５とを備えており、固定鏡筒部１０２に対して着脱可能に設けられている。
第４レンズ群１１４は、光路分割部材１０６からの平行光束を反射ミラー１１５を介して撮像装置の像面ＩＴＶに結像するレンズ群であり、この第４レンズ群１１４には不図示の無限遠系対物レンズからの平行光束が導かれる。これにより、撮像鏡筒部１０４の固定鏡筒部１０２への着脱が容易となる。
【００３０】
次に、上記構成の本実施形態に係る顕微鏡用傾角鏡筒１０１の作用について説明する。
本実施形態に係る顕微鏡用傾角鏡筒１０１において、不図示の顕微鏡本体の対物レンズからの光束は、光路分割部材１０６へ入射する。
光路分割部材１０６を透過した光束は、第１レンズ群１０５、プリズム１２０、およびプリズム１２１を経て、第２レンズ群１０９によって平行光束とされる。この平行光束は、プリズム１２２を経て、第３レンズ群１１２によって不図示の接眼レンズの像面ＩＥＰに結像される。したがって、接眼レンズによって標本の拡大像が結像されて双眼観察することができる。尚、対物レンズからの光束はプリズム１２０の内面とプリズム１２１の２つの内面とプリズム１２２の内面とによって四回反射されるため、標本像は四度反転されることとなる。これにより、接眼レンズを介して観察される標本像は、一般的な顕微鏡の観察像と同様に倒立像となる。
【００３１】
一方、光路分割部材１０６によって反射された平行光束は、第４レンズ群１１４によって反射ミラー１１５を介して不図示の撮像装置の像面ＩＴＶへ結像される。したがって、撮像装置よって標本像を撮像することができる。尚、対物レンズからの光束は半透過部１０８Ｍａと反射ミラー１１５とによって二回反射されるため、標本像は二度反転されることとなる。これにより、撮像装置で撮像される標本像は、上述の双眼観察における観察像と同様に倒立像となる。
尚、本実施形態の上述以外の構成は、上記第１実施形態と同じである。
【００３２】
以上、本実施形態に係る顕微鏡用傾角鏡筒１０１は、第１レンズ群１０５の直前に光路分割部材１０６を配置し、固定鏡筒部１０２と双眼鏡筒部１０３との光路長の延長を最小限に抑えて撮像鏡筒部１０４を設けることができる。
また、本実施形態に係る鏡筒は、上記第１実施形態の奏する効果と同様の効果を奏することができる。
【００３３】
（第３実施形態）
本発明の第３実施形態に係る顕微鏡を図４を参照して説明する。
図４は、本発明の第３実施形態に係る顕微鏡を示す概略構成図である。
本実施形態に係る顕微鏡３０は、上記第１実施形態に係る顕微鏡用傾角鏡筒と同様の構成の顕微鏡用傾角鏡筒２０１を備えた顕微鏡である。顕微鏡用傾角鏡筒２０１において、固定鏡筒部２０２は顕微鏡本体３１に設置されており、双眼鏡筒部２０３および撮像鏡筒部２０４にはそれぞれ接眼レンズ３２および撮像装置３３が取り付けられている。
【００３４】
図４において、ステージ３７上に載置された不図示の標本は、透過照明部３４からの照明光にて照明される。そして標本を透過した光は、無限遠系の対物レンズ３５によって平行光束とされて傾角鏡筒２０１へ入射し、該傾角鏡筒２０１によって接眼レンズ３２または撮像装置３３へ導かれる。このようにして観察者は標本の双眼観察と撮像とを行うことができる。
傾角鏡筒２０１には、上記第１実施形態において説明した固定鏡筒部内の光路分割部材をスライドさせるためのレバー３６が設けられており、双眼観察と、双眼観察および撮像とを切り換えることができる。尚、光路分割部材の貼り合わせ面にさらに全反射部を設ければ、光束を全て撮像鏡筒部へ導くこともできる。この傾角鏡筒２０１は、本実施形態に係る顕微鏡３０において、上記第１実施形態に係る顕微鏡用傾角鏡筒が奏する効果と同様の効果を奏する。
尚、本実施形態に係る顕微鏡３０の鏡筒として、第２実施形態に係る顕微鏡用鏡筒を用いることもできる。
【００３５】
以上より本実施形態に係る顕微鏡３０では、傾角鏡筒２０１の俯視角度およびアイポイントの光軸方向位置を調整することで楽な姿勢で双眼観察を行うことができ、かつ撮像装置を取り付けて撮像を行うことができる。
【００３６】
【発明の効果】
本発明によれば、倒立像を結像し、俯視角度が調整可能であり、接眼レンズによる観察と撮像装置による撮像とを可能とする顕微鏡用傾角鏡筒、および該鏡筒を備えた顕微鏡を提供することができる。
【図面の簡単な説明】
【図１】（ａ），（ｂ）はそれぞれ、本発明の第１実施形態に係る顕微鏡用傾角鏡筒の構成を示す図，光路分割部材の貼り合わせ面を示す図である。
【図２】（ａ），（ｂ）はそれぞれ、本発明の第２実施形態に係る顕微鏡用傾角鏡筒の構成を示す図，光路分割部材の貼り合わせ面を示す図である。
【図３】本発明の第２実施形態に係る顕微鏡用傾角鏡筒において、プリズムの構成の説明のため、光路分割部材を透過した光束が経由する全ての部材を該光束の光軸上に真っ直ぐ配置した場合のｙ方向から見た断面を示す図である。
【図４】本発明の第３実施形態に係る顕微鏡を示す概略構成図である。
【符号の説明】
１，１０１，２０１    顕微鏡用傾角鏡筒
２，１０２，２０２    固定鏡筒部
３，１０３，２０３    双眼鏡筒部
４，１０４，２０４    撮像鏡筒部
６，１０６            光路分割部材
Ｅ                    アイポイント
【図１】
2004212613.tif 000003
【図２】
2004212613.tif 000004
【図３】
2004212613.tif 000005
【図４】
2004212613.tif 000006